(57)【要約】      （修正有）【課題】容易に筐体内外の気圧を等しくすることができ、かつ筐体外部の空気と共に雨水等が筐体内部に吸い込まれるのを防止することが可能な筐体用気圧調整器の提供。【解決手段】筐体内の気圧を調整する筐体用気圧調整器２であって、筐体用気圧調整器２は筐体の底面に設けた貫通孔に嵌合され、筐体の内外を連通する空気孔２２と、空気孔２２を介して筐体の外部から内部へ水が浸入するのを防止する水浸入防止手段２３と、筐体に自調整器２を固定するための固定手段２１とを含む。【選択図】図３
2009021312.tif 000002
【特許請求の範囲】
【請求項１】
筐体内の気圧を調整する筐体用気圧調整器であって、
前記筐体の底面に設けた貫通孔に嵌合され、
前記筐体の内外を連通する空気孔と、
前記空気孔を介して前記筐体の外部から内部へ水が浸入するのを防止する水浸入防止手段と、
前記筐体に自調整器を固定するための固定手段とを含むことを特徴とする筐体用気圧調整器。
【請求項２】
前記空気孔を介して前記筐体の外部から内部へ水が浸入した場合に、その水を貯える貯水手段を含むことを特徴とする請求項１記載の筐体用気圧調整器。
【請求項３】
前記水浸入防止手段は逆漏斗状の皿部で構成されることを特徴とする請求項１から３いずれかに記載の筐体用気圧調整器。
【請求項４】
前記貯水手段は漏斗状の皿部で構成されることを特徴とする請求項１から４いずれかに記載の筐体用気圧調整器。
【請求項５】
前記水浸入防止手段は、前記筐体の外部から内部方向の水の圧力を減衰させる水勢力減衰手段を含むことを特徴とする請求項１から５いずれかに記載の筐体用気圧調整器。
【請求項６】
前記水勢力減衰手段は前記水浸入防止手段の前記空気孔の周囲に設けた突起であることを特徴とする請求項６記載の筐体用気圧調整器。
【請求項７】
請求項１から７いずれかに記載の筐体用気圧調整器を有することを特徴とする筐体。
【発明の詳細な説明】
【技術分野】
【０００１】
本発明は、筐体用気圧調整器およびこれを有する筐体に関し、特に精密機器等を格納する密閉筐体に用いる筐体用気圧調整器およびこれを有する筐体に関する。
【背景技術】
【０００２】
防災や列車無線システム等に関連する機器は精密機器に属するが、このような精密機器を屋外に設置する場合は密閉筐体に格納するのが一般的である。また、雨等から精密機器を守るために密閉筐体の密閉度は高いことが望ましい。
【０００３】
関連する密閉筐体では密閉度を向上させるため、一例として扉の開閉部等に密閉用パッキングを設けている。
【０００４】
一方、関連する他の密閉筐体および筐体用気圧調整器の一例として、筐体の側面と日除け部材の側面同士をスペーサで結合し、そのスペーサに筐体の内部と外部とを連通させる空気孔を設け、これにより筐体の内部と外部とに圧力差が生じるのを防止する防雨筐体が開示されている（特許文献１参照）。
【０００５】
また、他の一例として、防水ケースの内外に連通する通気路中に圧力調節弁を有する押さえ板を取り付け、その圧力調節弁を介して防水ケースの内外の圧力を調節する防水装置が開示されている（特許文献２参照）。
【０００６】
また、他の一例として、密閉筐体の内外を連通する小孔のまわりに膨張部を設け、ほこり等が小孔から密閉筐体の内部に侵入するのを防止する密閉筐体が開示されている（特許文献３参照）。
【０００７】
【特許文献１】実開平０４―０１０３７５号公報（第５頁第６行〜第２０行、第６頁第５行〜第１１行、第２図および第３図）
【特許文献２】特開昭５６−０１１００７号公報（第３頁左下欄第９行〜右下欄第４行）
【特許文献３】特開２００６−１４７７６７号公報（段落００１９〜００２２および図４）
【発明の開示】
【発明が解決しようとする課題】
【０００８】
関連する筐体が直射日光を受け、筐体内の温度が上がると内部の空気が膨張する。そして、関連する筐体の密閉用パッキングに少しでも傷があると、その傷の部分より筐体の内部から外部へ空気が放出される。その後、にわか雨等が発生し、急激に筐体が冷やされると、筐体内部の空気が収縮し、パッキングの傷の部分より筐体外部の空気と共に雨水等が筐体内部に吸い込まれる。
【０００９】
このように、筐体の密閉度が低下すると筐体外部の空気と共に雨水等が筐体内部に吸い込まれるという問題がある。
【００１０】
一方、特許文献１にはスペーサの空気孔から雨水が浸入するのを防止する対策は記載されていない。
【００１１】
また、特許文献２には押さえ板の圧力調節弁は水滴が防水ケース内部に浸入できない構造になっている旨の記述がなされているが、押さえ板の構造が複雑という欠点がある。
【００１２】
また、特許文献３に記載されている膨張部は小孔周辺に溜まったほこり等を膨張部の傾斜面を利用して小孔から離散させることを目的としているが、この小孔に浸入しようとする雨水をこの傾斜面で阻止することはできない。なぜならば、この小孔は傾斜面の最上部に設けられており、最下部に設けられていないためである。
【００１３】
そこで本発明の目的は、容易に筐体内外の気圧を等しくすることができ、かつ筐体外部の空気と共に雨水等が筐体内部に吸い込まれるのを防止することが可能な筐体用気圧調整器およびこれを有する筐体を提供することにある。
【課題を解決するための手段】
【００１４】
前記課題を解決するために本発明による筐体用気圧調整器は、筐体内の気圧を調整する筐体用気圧調整器であって、前記筐体の底面に設けた貫通孔に嵌合され、前記筐体の内外を連通する空気孔と、前記空気孔を介して前記筐体の外部から内部へ水が浸入するのを防止する水浸入防止手段と、前記筐体に自調整器を固定するための固定手段とを含むことを特徴とする。
【００１５】
また、本発明による筐体は前記筐体用気圧調整器を有している。
【発明の効果】
【００１６】
本発明によれば、容易に筐体内外の気圧を等しくすることができ、かつ筐体外部の空気と共に雨水等が筐体内部に吸い込まれるのを防止することが可能となる。
【発明を実施するための最良の形態】
【００１７】
以下、本発明の実施形態について添付図面を参照しながら説明する。まず、本発明の第１の実施形態について説明する。図１は本発明に係る筐体用気圧調整器およびこれを有する筐体の第１の実施形態の斜視図である。
【００１８】
図１を参照すると、本発明に係る筐体１は、筐体本体１１と、蓋部１２と、蝶番１３および１４と、筐体用気圧調整器２とを含んで構成される。
【００１９】
蓋部１２は蝶番１３および１４を介して筐体本体１１に開閉自在に取り付けられる。また、蓋部１２を閉じると筐体１は密閉状態となる。
【００２０】
筐体本体１１の底面には貫通孔１５が設けられ、この貫通孔１５に筐体用気圧調整器２が嵌合される。
【００２１】
図２は本発明に係る筐体用気圧調整器の第１の実施形態の構成図である。図２を参照すると、図の中央３１に筐体用気圧調整器２の側面図が表示され、図の上方３２に筐体用気圧調整器２の平面図が表示され、図の下方３３に筐体用気圧調整器２の底面図が表示されている。
【００２２】
筐体用気圧調整器２は円柱形状をなし、その側面の中間に円柱の径よりも大きな径を有する固定部２１が設けられる。この固定部２１は筐体用気圧調整器２を筐体本体１１の底面に固定するためのストッパーとなる。
【００２３】
図３は本発明に係る筐体用気圧調整器の第１の実施形態のＡ−Ａ’断面図である。なお、図３において図２と同様の部分には同一番号を付し、その説明を省略する。以下、筐体用気圧調整器２の説明において図２および図３を参照する。
【００２４】
筐体用気圧調整器２には円柱の中心部を上下方向に貫通する空気孔２２が形成されている。
【００２５】
ここで、筐体用気圧調整器２の固定部２１よりも上方の部分を円柱２ａ，下方の部分を円柱２ｂと表示する。
【００２６】
固定部２１よりも下方の円柱２ｂには、水浸入防止部２３が形成されている。この水浸入防止部２３は円柱２ｂを逆漏斗状の皿部に形成したものである。
【００２７】
次に、第１の実施形態の動作について説明する。密閉状態の筐体１に直射日光が照射されると、筐体１の内部温度が上昇する。筐体１の内部温度が上昇すると、筐体１の内部の空気は膨張するが、その空気は筐体用気圧調整器２の空気孔２２を介して筐体１の外部へ放出される。これにより、筐体１内外の気圧を等しく保持することができる。
【００２８】
一方、この内部温度が上昇した筐体１が雨等により急激に冷却された場合、筐体１内の空気が収縮し、筐体用気圧調整器２の空気孔２２を介して外部の空気が筐体１の内部へ吸引される。このとき、外部の空気とともに外部の雨水等が筐体用気圧調整器２の空気孔２２を介して筐体１の内部へ吸引される。
【００２９】
これに対し、本発明では雨水等が空気孔２２に浸入する手前に水浸入防止部２３が設けられているため、真下から空気孔２２方向へ上昇してくる雨水等を除き、雨水等が空気孔２２に浸入するのを水浸入防止部２３の壁部２４により防止することが可能となる。
【００３０】
以上説明したように本発明の第１の実施形態によれば、筐体本体１１の底面に貫通孔１５を１個設けるだけで筐体用気圧調整器２を筐体１に取り付けることが可能となる。また、筐体用気圧調整器２により容易に筐体１内外の気圧を等しくすることが可能となる。
【００３１】
また、水浸入防止部２３を設けることにより、外部の空気とともに雨水等が筐体１の内部へ吸引されるのを防止することが可能となる。また、水の浸入を防止する水浸入防止部２３は逆漏斗状の皿部という構成であり、前述の特許文献２記載の押さえ板に比べ、構成が簡単なため筐体用気圧調整器２の価格を安価にすることが可能となる。
【００３２】
また、雨水等の浸入を防止するために筐体１を完全密閉する必要がなくなるため、筐体１の価格を安価にすることが可能となる。
【００３３】
次に、本発明の第２の実施形態について説明する。図４は本発明に係る筐体用気圧調整器の第２の実施形態の構成図、図５は同第２の実施形態のＡ−Ａ’断面図である。なお、筐体１の構成は図１と同様であるため、図示およびその説明を省略する。また、図５において図４と同様の部分には同一番号を付し、その説明を省略する。
【００３４】
第１の実施形態では雨水等が筐体１の内部へ吸引されるのを防止するために水浸入防止部２３を設ける構成について説明した。しかし、この水浸入防止部２３を設けても、真下から空気孔２２方向へ上昇してくる雨水等の浸入を防ぐことは困難である。
【００３５】
そこで、第２の実施形態では筐体１の内部へ雨水等が吸引されたとしても、その雨水等により内部に格納された精密機器が障害を受けることがなく、かつ吸引された雨水等を外部へ放出することが可能な構成を示す。
【００３６】
図４および図５を参照すると、筐体用気圧調整器２の固定部２１よりも上方の円柱２ａに、筐体１の外部から水浸入防止部２３および空気孔２２を介して筐体１の内部へ浸入した水を貯える貯水部２５が設けられる。この貯水部２５は図４および図５に示すように漏斗状の皿部で構成される。
【００３７】
次に、第２の実施形態の動作について説明する。密閉状態の筐体１に直射日光が照射されると、筐体１の内部温度が上昇する。筐体１の内部温度が上昇すると、筐体１の内部の空気は膨張するが、その空気は筐体用気圧調整器２の貯水部２５、空気孔２２および水浸入防止部２３を介して筐体１の外部へ放出される。これにより、筐体１内外の気圧が等しく保持される。
【００３８】
一方、この内部温度が上昇した筐体１が雨等により急激に冷却された場合、筐体１内の空気が収縮し、筐体用気圧調整器２の水浸入防止部２３および空気孔２２を介して外部の空気が筐体１の内部へ吸引される。このとき、外部の空気とともに外部の雨水等の一部が筐体用気圧調整器２の水浸入防止部２３および空気孔２２を介して貯水部２５へ吸引される。このように、筐体１の内部へ吸引された雨水等は貯水部２５に貯まるため、雨水等により筐体１内部の精密機器が障害を受けるのを防止することが可能となる。
【００３９】
一方、密閉状態の筐体１に再び直射日光が照射されると、筐体１の内部温度が上昇する。筐体１の内部温度が上昇すると、筐体１の内部の空気は膨張するため、貯水部２５へ貯まった雨水等は空気とともに空気孔２２および水浸入防止部２３を介して外部へ放出される。
【００４０】
以上説明したように本発明の第２の実施形態によれば、雨水等が筐体１の内部へ吸引されたとしても、筐体１の内部の精密機器を保護することが可能となり、また、筐体１の内部へ吸引された雨水等を自動的に筐体１の外部へ放出することが可能となる。
【００４１】
次に、本発明の第３の実施形態について説明する。図６は本発明に係る筐体用気圧調整器の第３の実施形態の構成図、図７は同第３の実施形態のＡ−Ａ’断面図である。なお、筐体１の構成は図１と同様であるため、図示およびその説明を省略する。また、図７において図６と同様の部分には同一番号を付し、その説明を省略する。
【００４２】
一例として、横殴りの雨を筐体１が受けた場合、水浸入防止部２３の真下のみならず、他の方向からの雨水の圧力が空気孔２２へ集中することが考えられる。第３の実施形態ではこの横殴りの雨等の防止策を示す。
【００４３】
図６および図７を参照すると、水浸入防止部２３には、筐体１の外部から内部方向の水の圧力を減衰させる水勢力減衰部２６が設けられる。この水勢力減衰部２６は水浸入防止部２３の空気孔２２の周囲に設けた突起である。
【００４４】
次に、第３の実施形態の動作について説明する。仮に、水勢力減衰部２６が設けられないとすると、横殴りの雨等は空気孔２２へ集中する。しかし、第３の実施形態では水勢力減衰部２６が設けられており、横殴りの雨等の一部は水勢力減衰部２６に衝突するため空気孔２２へ到達しない。これにより、空気孔２２へ到達する横殴りの雨等の量を低減することが可能となる。
【００４５】
以上説明したように本発明の第３の実施形態によれば、横殴りの雨等が筐体１の内部へ浸入するのを防止することが可能となる。
【図面の簡単な説明】
【００４６】
【図１】本発明に係る筐体用気圧調整器およびこれを有する筐体の第１の実施形態の斜視図である。
【図２】本発明に係る筐体用気圧調整器の第１の実施形態の構成図である。
【図３】本発明に係る筐体用気圧調整器の第１の実施形態のＡ−Ａ’断面図である。
【図４】本発明に係る筐体用気圧調整器の第２の実施形態の構成図である。
【図５】同第２の実施形態のＡ−Ａ’断面図である。
【図６】本発明に係る筐体用気圧調整器の第３の実施形態の構成図である。
【図７】同第３の実施形態のＡ−Ａ’断面図である。
【符号の説明】
【００４７】
１  筐体
２  筐体用気圧調整器
２ａ，２ｂ  円柱
１１  筐体本体
１２  蓋部
１３，１４  蝶番
１５  貫通孔
２１  固定部
２２  空気孔
２３  水浸入防止部
２４  壁部
２５  貯水部
２６  水勢力減衰部
【図１】
2009021312.tif 000003
【図２】
2009021312.tif 000004
【図３】
2009021312.tif 000005
【図４】
2009021312.tif 000006
【図５】
2009021312.tif 000007
【図６】
2009021312.tif 000008
【図７】
2009021312.tif 000009